(57)【特許請求の範囲】
【請求項１】
保持ケースと被保持容器体を含み、当該保持ケースは被保持容器体を収納可能に構成され、当該保持ケース下部には、収納された被保持容器体の底部が露出可能で、かつ、当該底部の面積より小さい開口部を有し、当該開口部から露出させた被保持容器体底部と保持ケース底部とにまたがって切り離し手段を有する１枚のラベルを接着することにより、保持ケースと被保持容器体とを固定していることを特徴とするリフィル用容器。
【請求項２】
保持ケース上部に開閉可能な蓋体が設けられているものである請求項第１項記載のリフィル用容器。
【請求項３】
保持ケース底部と開口部から露出させた被保持容器体底部とにまたがって接着することにより当該保持ケースと当該被保持容器体とを固定することが可能なラベルであって、当該ラベルは切り離し手段を有し、当該手段によりラベルを切り離すことにより、貼付されたラベルが保持ケースと被保持容器体とに分離、残存することを特徴とするラベル。
【請求項４】
切り離し手段が、ミシン目またはハーフカットである請求項第３項記載のラベル。
【請求項５】
被保持容器体に残存するラベル部分に、更に切り離し可能な小部分を有する請求項第３項または第４項記載のラベル。
【発明の詳細な説明】
【０００１】
【発明の属する技術分野】
本発明はリフィル用容器に関し、更に詳細には、保持ケースと被保持容器体をラベルで接着、固定したリフィル用容器およびこれに用いるラベルに関する。
【０００２】
【従来の技術】
近年、化粧品の分野では、ファンデーション等を中心に、詰め替えが可能なリフィル容器による提供がなされるようになっている。このタイプの化粧料は使い切った後に、リフィル用化粧料を購入し、繰り返し詰め替え使用するというものである。
【０００３】
このリフィル用化粧料は、容器体に充填され、通常簡易なプラスチック等の保持ケースに入れられ、保護された状態で販売されていることが多く、また、この化粧料の内容成分等の表示は、容器体または保持ケースもしくはその両者になされるのが普通である。
【０００４】
このような化粧料の充填された容器体を保持ケースに入れたリフィル用容器では、通常、容器体が保持ケースに嵌合等の系合手段を用いて収納固定されている。しかしながら、保持ケースは成形寸法が正確でないと保持される容器体にガタツキが生じたり、しっかりと収納保持できなくなる虞があった。
【０００５】
【発明が解決しようとする課題】
従って、本発明が解決しようとする課題は、より簡便に容器体を確実に保持、固定することのできるリフィル用容器を提供することである。
【０００６】
【課題を解決するための手段】
本発明者らは、リフィル用容器について、化粧料の充填された容器体を確実に保持、固定する手段について鋭意検討を行った結果、保持ケース下面に開口部を設け、その部分から容器体底部を露出させ、この底部と保持ケースの間を切り離し可能なラベルで接着固定すれば、保持ケースの成形寸法を問わず被保持容器体を確実に保持、固定することができること、さらに、保持ケースに使用するプラスチック等の量を減らすことができ、また、ラベルも１枚ですむので、省資源の面からも有利であることを見出し、本発明を完成した。
【０００７】
すなわち、本発明は保持ケースと被保持容器体を含み、当該保持ケースは被保持容器体を収納可能に構成され、当該保持ケース下部には、被保持容器体の底部面積より小さい開口部を有し、当該保持ケースと当該被保持容器体は、切り離し手段を有するラベルで接着、固定されていることを特徴とするリフィル用容器を提供するものである。
【０００８】
また本発明は、保持ケースと被保持容器体を接着、固定するためのラベルであって、当該ラベルは切り離し手段を有し、当該手段によりラベルを切り離すことにより、貼付されたラベルが保持ケースと被保持容器体とに分離、残存するラベルを提供するものである。
【０００９】
【発明の実施の形態】
次に、本発明の一実施態様を示す図面を挙げ、本発明を説明する。
【００１０】
図１は、本発明のリフィル用容器の構成を示す図面、図２は、被保持容器体をラベルで接着、固定した後のリフィル容器の底面を示す図面である。図中、１は保持ケース、２は被保持容器体、３はラベル、４は切り離し手段、５は蓋部、６は収納部、７は開口部、８はヒンジ部、９は凸出部、１０は凹入部、１１は押さえ部、１２は指かけ部をそれぞれ示す。
【００１１】
本発明のリフィル用容器は、図１で示すように、大きく保持ケース１、被保持容器体２およびラベル３で構成される。更に、保持ケース１は、蓋体５と中央に開口部７を有する収納部６より構成され、これらはヒンジ部８で折り曲げ可能に結合している。
【００１２】
被保持容器体２は、上側の窪んだ充填部に必要な化粧料等を充填した後、保持ケース１の収納部６に収納保持される。このとき、収納部６には被保持容器体２の底部の面積より小さい大きさの開口部７があるため、底部の一部が開口部７から露出する。そして、この露出した被保持容器体２の底部と、収納部６の底部は、図２に示すように、切り離し手段４を有するラベル３で接着、固定される。このラベル３に用いられる切り離し手段４としては、ミシン目、ハーフカット等容易に切り離せる手段を採用することができる。
【００１３】
上のように被保持容器体２を収納部６に収納した後、蓋体５を閉め、蓋体５の凹入部１０と、収納部６の凸出部９を嵌合させることにより封止し、商品とすることが可能になる。なお、収納された被保持容器２は、蓋体５に設けられた押さえ部１１の作用により上下に動くことはない。
【００１４】
かくして保持ケース１に収納された被保持容器体２を取り出すには、まず、指かけ部１２を利用して蓋体５を開け、次いで切り離し手段４により、ラベル３を切り離し、指等で押し出せばよい。このとき、貼付されたラベル３は保持ケース１の底部と被保持容器体２の底部とに分離、残存する。
【００１５】
そして、ラベル３の被保持容器体２の底部に残存する部分に内容成分等の表示や名称、記号等を表記すれば、このラベル３は、被保持容器体２が保持ケース１に収納された状態（販売状態）では、包装に付されたラベルとして機能し、また、被保持容器体２と保持ケース１が分離された状態（使用状態）では被保持容器体２に付されたラベルとして機能することになる。このラベル３は、更に所望により、切り離し手段４により切り取れる小片１３を設け、この上に製品の内容を特定できる名称、記号等を表記すれば、目的の商品を誤りなく購入できるのでより便利である。
【００１６】
なお、ラベル３の形状は、上記図１、図２に示された形状に限られず、例えば、図３から図５に示すような形状のものを利用することができ、保持ケース１と被保持容器体２との間で要求される接着、固定強度により選択すればよい。また、このラベルは最初から接着剤を塗布したものであっても、接着直前に接着剤を塗布するものであっても良い。
【００１７】
【発明の効果】
本発明のリフィル用容器は、保持ケース下面に大きな開口部を設け、その部分から被保持容器体底部を露出させ、この底部と保持ケースの底部とを切り離し可能なラベルで接着固定したものであるから、保持ケースの成形寸法を問わず被保持容器体を確実に保持、固定できる。また、保持ケースに使用するプラスチック等の量を少なくすることができると共に、ラベルも１枚で済むため、簡便で、コスト的にも有利である。
【図面の簡単な説明】
【図１】  本発明のリフィル用容器の構成を示す図面
【図２】  被保持容器体をラベルで接着、固定した後のリフィル用容器の底面を示す図面
【図３】  別のラベルの例を示す図面
【図４】  別のラベルの例を示す図面
【図５】  別のラベルの例を示す図面
【符号の説明】
１ … … 保持ケース            ８ … … ヒンジ部
２ … … 被保持容器体          ９ … … 凸出部
３ … … ラベル              １０ … … 凹入部
４ … … 切り離し手段        １１ … … 押さえ部
５ … … 蓋部                １２ … … 指かけ部
６ … … 収納部              １３ … … 小片
７ … … 開口部
以    上
【図１】
0004242535.tif 000002
【図２】
0004242535.tif 000003
【図３】
0004242535.tif 000004
【図４】
0004242535.tif 000005
【図５】
0004242535.tif 000006